(57)【要約】    【課題】  流水中に含まれる異物がバネのコイル部に絡み付くのを防止して、吐出口を開閉する切替弁の動作不良を低減する。    【解決手段】  固定子１２と、マグネット２２と羽根車２３を備えた回転子２０とでモータを構成し、吸水口１１と２ヶ所の吐出口３１，３２を有し、前記羽根車２３の回転方向により前記吐出口３１，３２の１つを選択し液体を吐出するポンプであって、前記吐出口３２は、その吐出口３２からの吐出の有無に同調して該吐出口３２を開閉する回動可能な切替弁５０を有し、前記切替弁５０は前記吐出口３２を閉じる蓋部５４を有する弁本体５２と、該弁本体５２を回動させる軸部５３ａ，ｂとからなり、前記軸部５３ｂに該切替弁５０を回動方向に弾性付勢する捻りコイルバネ５５が配されたポンプ１において、前記捻りコイルバネ５５のコイル部５８の外周部を覆うカバー５６，５７を設ける。    【選択図】  図２
2006220034.tif 000002
【特許請求の範囲】
【請求項１】
固定子と、マグネットと羽根車を備えた回転子とでモータを構成し、吸水口と複数の吐出口を有し、前記羽根車の回転方向により前記複数の吐出口から選択された吐出口から液体を吐出するポンプであって、
前記吐出口の少なくとも１つは、その吐出口からの吐出の有無に同調して該吐出口を開閉する回動可能な切替弁を有し、
前記切替弁は前記吐出口を閉じる蓋部を有する弁本体と、該弁本体を回動させる軸部とからなり、前記軸部に該切替弁を回動方向に弾性付勢する捻りコイルバネが配されたポンプにおいて、
前記捻りコイルバネのコイル部の外周部を覆うカバーを設けた
ことを特徴とするポンプ。
【請求項２】
前記カバーが、前記軸部に挿入された前記コイル部を取り囲むように前記弁本体から突出して設けられた壁体である
ことを特徴とする請求項１に記載のポンプ。
【請求項３】
請求項１又は２に記載のポンプが用いられている
ことを特徴とする食器洗い機。
【発明の詳細な説明】
【技術分野】
【０００１】
本発明は、ポンプに関し、さらに詳しくは食器洗い機などの給水、排水を行うために複数の吐出口を有しているポンプに関するものである。
【背景技術】
【０００２】
例えば、食器洗い機に使用されるポンプとしては、食器洗浄用の洗浄水を洗浄槽に供給させる機能と、食器洗浄後の排水を外部に排出する機能を満たすために、１台のポンプに吸水口と２カ所の吐出口を設け、モータの正転と逆転に応じてポンプ内に吸引した洗浄水と排水とを一方の吐出口を選択して送り出すリバーシブルポンプが知られている（例えば、特許文献１）。
【０００３】
このようなリバーシブルポンプ１は、図１に示すように、吸水口１１を有するモータ部１０と、２カ所の吐出口３１，３２を有するポンプ部３０とからなり、上下のケーシング７１，７２間にパッキン７３を挟みポンプ内部をシールして一体に構成されている。
【０００４】
モータ部１０は、上側ケーシング７１の外周に沿ってリング状に配された固定子１２と、固定子１２内側のケーシング内のシャフト２７にマグネット２２と正転逆転兼用の羽根３３を備えた羽根車２３が回転自在に配されて回転子２０を形成してブラシレスＤＣモータを構成し、回転子２０の上方には吸水口１１が開口している。
【０００５】
ポンプ部３０は、羽根車２３の羽根３３部分をポンプ室４０内に収納し、ポンプ室４０から続く流路を設けて吐出口３１と吐出口（排水口）３２とが開口している。
【０００６】
図６，７のポンプ部３０内部の平面図に示すように、ポンプ部３０のポンプ室４０内に収納された正転逆転兼用の羽根３３は、モータの正転時にはポンプ室４０内に反時計廻りの旋回流を発生して流路Ａを流れる水流を形成して吐出口３１から食器洗い機の洗浄槽に洗浄水を送水し、モータの逆転時にはポンプ室４０内に時計廻りの旋回流を発生して流路Ｂを流れる水流を形成して排水口３２から食器洗浄後の排水を外部に排出するようになっている。
【０００７】
図に示すように、食器洗浄後の排水を排出する排水口３２には、その口部３５を開閉する切替弁６０が設けられており、ポンプ正転時の洗浄水が吐出口３１に送水される際には閉状態にされ洗浄水の排水口３２への流入を防ぎ、またポンプ逆転時には開状態にされて排水を排水口３２に流すもので、ポンプの正転、逆転運転に対応する切替弁になっている。
【０００８】
この切替弁６０は、図８，９に示すように、蓋部５４を備えた弁本体５２が上下に突出する回動軸５３ａ，５３ｂにより上下のケーシング７１，７２に挟持され排水口３２の口部３５を開閉するように回動可能に取り付けられている。そして、切替弁６０の開閉動作を補助したり、口部３５と蓋部５４とのシール性を向上するために、図１０に示す捻りコイルバネ５５が回動軸５３ｂに挿入され、その両足部が弁本体５２とケーシング７２の間に配され切替弁６０を弾性付勢している。
【特許文献１】特開２００３−１１３７９３号公報
【発明の開示】
【発明が解決しようとする課題】
【０００９】
上記のような、吐出口を開閉する回動可能な切替弁を有し、その切替弁を回動方向に弾性付勢する捻りコイルバネが回動軸に挿入されたポンプでは、バネが吐出口付近の流路に露出した状態で配され流水に直に曝された状態となり、流水中に含まれる異物がバネのコイル部に絡み付きやすく、特に食器洗い機では食器洗浄後の排水中の残菜がバネのコイル部に絡み付くとバネの動きが悪くなって切替弁の動作不良を引き起こし、洗浄槽に送水されるべき洗浄液が排水口に流れ込み食器の洗浄不足を生じたり、排水不良を起こしたり、また装置の故障原因となることがある。
【００１０】
本発明は、上記に鑑みてなされたもので、吐出口を開閉する切替弁を回動方向に弾性付勢する捻りコイルバネが用いられているポンプにおいて、流水中に含まれる異物が捻りコイルバネのコイル部に絡み付くのを防止して切替弁の動作不良を低減し、他の吐出口への混入を防いで本来の吐出口に確実に送水することができるポンプ、及びそれを用いた食器洗い機を提供することを目的とするものである。
【課題を解決するための手段】
【００１１】
請求項１の発明は、固定子と、マグネットと羽根車を備えた回転子とでモータを構成し、吸水口と複数の吐出口を有し、前記羽根車の回転方向により前記複数の吐出口から選択された吐出口から液体を吐出するポンプであって、前記吐出口の少なくとも１つは、その吐出口からの吐出の有無に同調して該吐出口を開閉する回動可能な切替弁を有し、前記切替弁は前記吐出口を閉じる蓋部を有する弁本体と、該弁本体を回動させる軸部とからなり、前記軸部に該切替弁を回動方向に弾性付勢する捻りコイルバネが配されたポンプにおいて、前記捻りコイルバネのコイル部の外周部を覆うカバーを設けたことを特徴とするポンプである。
【００１２】
請求項２の発明は、前記カバーが、前記軸部に挿入された前記コイル部を取り囲むように前記弁本体から突出して設けられた壁体であることを特徴とする請求項１に記載のポンプである。
【００１３】
請求項３の発明は、請求項１又は２に記載のポンプが用いられていることを特徴とする食器洗い機である。
【発明の効果】
【００１４】
本発明のポンプによれば、異物が絡み付きやすいバネのコイル部の外周部をカバーで覆うことで、流水中に含まれる異物がコイル部に絡み付くのを防止して捻りコイルバネの動きを良好に保持し、切替弁の開閉動作を確実にして液体の混入や誤送水を防止し、ポンプ本来の吐出能力を発揮して選択された吐出口から送水することができる。また、このポンプを用いた食器洗い機は、洗浄槽への洗浄液の供給や洗浄後の排水を確実にし、食器の洗浄不足や排水不良、装置の故障発生を防止するものとなる。
【発明を実施するための最良の形態】
【００１５】
本発明の実施形態について、図面を用いて説明する。なお、本実施形態は食器洗い機に内蔵されたポンプの場合に基づくものである。
【００１６】
図１は実施形態のリバーシブルポンプ１の縦断面図である。このポンプ１は従来技術で説明したものと同じポンプ構造を持つもので、同一部品には同じ符号を用いて説明する。
【００１７】
リバーシブルポンプ１は、吸水口１１を有するモータ部１０と、第１吐出口（以下、吐出口という）３１と第２吐出口（以下、排水口という）３２を有するポンプ部３０とからなり、上側のケーシング７１と下側のケーシング７２とがパッキン７３を挟みポンプ内部をシールして、シャフト２７を中心に立形一体に構成されている。
【００１８】
モータ部１０は、ブラシレスＤＣモータを構成するものであり、ケーシング７１の外周に沿ってリング状に配された固定子１２と、固定子１２の内周に沿ってケーシング７１内側に配されたマグネット２２を備えた回転子２０がシャフト２７を軸として回転軸２１により回転自在に配されている。
【００１９】
前記固定子１２は、鉄心１３とそれに巻回された巻線１４とからなり、モータ駆動用の回路基板１５が固定子１２の上部に配され、全体がモールド樹脂１６によりモールド成形されている。
【００２０】
回転子２０は、回転軸２１に接続されたマグネット２２と、ポンプ部３０内で回転する正転逆転兼用の羽根３３を備えた羽根車２３とを有し、回転子２０の上方には吸水口１１が開口し、回転軸２１の外周部には軸と平行して吸水口１１に続く流水路１９が形成されている。
【００２１】
ポンプ部３０のポンプ室４０内には、正転運転と逆転運転とで共にポンプ室４０内に旋回流を発生させる正転逆転兼用の羽根３３が収納されている。
【００２２】
ポンプ室４０に続く流路３６を経由して吐出管３７が設けられ、その先端部に吐出口３１が開口している。この吐出口３１は食器洗い機（図示せず）の洗浄ノズルに接続される。また、ポンプ室４０に続く排水口３２が設けられている。
【００２３】
上記構成によるリバーシブルポンプ１は、モータ部１０への通電により回転子２０が駆動し、ポンプ部３０において前記羽根車２３の回転により、吸水口１１から洗浄液や排水を吸引し、ポンプ１の正転、逆転運転に応じて吐出口３１から食器洗い機の洗浄槽へ、或いは排水口３２から食器洗浄後の排水を食器洗い機の外部に排出する。
【００２４】
ポンプ部３０は、図２，３のポンプ部３０内部の平面図に示すように、羽根車２３の羽根３３をポンプ室４０内に収納し、ポンプ室４０から続く流路Ａ，Ｂを設けて吐出口３１と排水口３２とがそれぞれの流路Ａ，Ｂの端部に開口している。
【００２５】
ポンプ室４０内の羽根３３は、モータの正転時にはポンプ室４０内に反時計廻りの旋回流を発生して流路Ａを流れる水流を形成して吐出口３１から食器洗い機の洗浄槽に洗浄水を送水し、モータの逆転時にはポンプ室４０内に時計廻りの旋回流を発生して流路Ｂを流れる水流を形成して排水口３２から食器洗浄後の排水を外部に排出する。
【００２６】
図に示すように、食器洗浄後の排水を排出する排水口３２には、その口部３５を開閉する切替弁５０が設けられており、ポンプ正転時の洗浄水が吐出口３１に送水される際には閉状態にされ洗浄水の排水口３２への流入を防ぎ、またポンプ逆転時には開状態にされて排水を排水口３２に流すもので、ポンプの正転、逆転運転に対応する切替弁になっている。
【００２７】
この切替弁５０は、図４，５に示すように、排水口３２の口部３５を閉じる蓋部５４を備えた弁本体５２と、弁本体５２を回動可能にさせる上下に突出する回動軸５３ａ，５３ｂとからなり、回動軸５３ａ，５３ｂが上下のケーシング７１，７２に挟持され排水口３２の口部３５を開閉するように回動可能に取り付けられている。
【００２８】
そして、切替弁５０の開閉動作を補助したり、口部３５と蓋部５４とのシール性を向上するために、図１０に示す捻りコイルバネ５５が回動軸５３ｂに挿入され、その両足部が弁本体５２とケーシング７２との間に配され切替弁５０を弾性付勢している。
【００２９】
回動軸５３ｂに挿入された捻りコイルバネ５５のコイル部５８の外周には、このコイル部５８を取り囲むようにコイル部５８の背面側にはカバー５６が、また前面側にはカバー５７が弁本体５２から突出された壁体として設けられている。
【００３０】
この捻りコイルバネ５５のコイル部５８の外周部を覆うカバー５６，５７を設けることで、コイル部５８が流水から隔離され直に曝されることがなくなり、コイル部５８の保護作用が大幅に向上し液中に含まれる異物、例えば排水中の残菜や糸くず、毛髪などがコイル部５８とカバー５６，５７の間に侵入するのを防ぎ、コイル部５８への異物の絡み付きを防止し捻りコイルバネ５５の動きを良好に維持して切替弁５０の動作不良の発生を低減することができる。
【００３１】
このカバー５６，５７を形成する壁体は捻りコイルバネ５５の足部を配置するためコイル部５８の周上で２ヶ所に分断されているが、異物侵入の防止効果は従来よりも格段に向上するものとなっている。
【００３２】
これにより、このポンプ１を用いた食器洗い機は、洗浄槽への洗浄液の供給や洗浄後の汚水の排水を確実にしてその混入を防ぎ、食器の洗浄不足や排水不良、装置の故障発生を防止するものとなる。
【００３３】
本実施形態では、排水口３２に本発明に係る切替弁５０を設けた例を説明したが、他の吐出口、例えば食器洗い機に接続される吐出口３１に同様の切替弁を設けることも勿論でき、洗浄液への異物や汚水の混入を防ぎ洗浄性を向上することができる。
【産業上の利用可能性】
【００３４】
本発明のポンプは、食器洗い機や２槽式洗濯機、床暖房や給湯装置などの複数の送水先に水や湯などの液体を供給したり、排水、循環させるポンプとして好適に使用することができる。
【図面の簡単な説明】
【００３５】
【図１】リバーシブルポンプの縦断面図である。
【図２】実施形態の正転運転時のポンプ部内を示す平面図である。
【図３】同上の逆転運転時のポンプ部内を示す平面図である。
【図４】実施形態の切替弁の側面及び平面図である。
【図５】同上の切替弁をポンプに組み込んだ状態を示す側面図である。
【図６】従来例の正転運転時のポンプ部内を示す平面図である。
【図７】同上の逆転運転時のポンプ部内を示す平面図である。
【図８】従来例の切替弁の側面及び平面図である。
【図９】同上の切替弁をポンプに組み込んだ状態を示す側面図である。
【図１０】捻りコイルバネの側面図である。
【符号の説明】
【００３６】
１……ポンプ
１０……モータ部
１１……吸水口
１２……固定子
２０……回転子
２２……マグネット
２３……羽根車
３１，３２……吐出口（排水口）
５０……切替弁
５２……弁本体
５３ａ，ｂ……軸部
５４……蓋部
５５……捻りコイルバネ
５６，５７……カバー
５８……コイル部
【図１】
2006220034.tif 000003
【図２】
2006220034.tif 000004
【図３】
2006220034.tif 000005
【図４】
2006220034.tif 000006
【図５】
2006220034.tif 000007
【図６】
2006220034.tif 000008
【図７】
2006220034.tif 000009
【図８】
2006220034.tif 000010
【図９】
2006220034.tif 000011
【図１０】
2006220034.tif 000012